(57)【要約】【課題】本発明は、タブレットコンピュータ及びその制御方法を開示する。【解決手段】制御方法は、外部装置が出力する第１のビデオ信号を受信する工程と、第１のビデオ信号を第１の低電圧差動信号に変換する工程と、プロセッサが出力する第２のビデオ信号を受信する工程と、第２のビデオ信号を第２の低電圧差動信号に変換する工程と、タブレットコンピュータがタブレットコンピュータモード又は外部装置モードで操作されることを選択する工程と、タブレットコンピュータがタブレットコンピュータモードで操作される場合、第２の低電圧差動信号を表示モジュールに出力して、対応する情報を表示し、タブレットコンピュータが外部装置モードで操作される場合、第１の低電圧差動信号を表示モジュールに出力して、対応する情報を表示する工程と、を備える。【選択図】図６
2014120154.tif 000002
【特許請求の範囲】
【請求項１】
プロセッサ及び表示モジュールを有するタブレットコンピュータの制御方法において、
外部装置が出力する第１のビデオ信号を受信する工程と、
前記第１のビデオ信号を第１の低電圧差動信号に変換する工程と、
前記プロセッサが出力する第２のビデオ信号を受信する工程と、
前記第２のビデオ信号を第２低電圧差動信号に変換する工程と、
前記タブレットコンピュータがタブレットコンピュータモード又は外部装置モードで操作されることを選択する工程と、
前記タブレットコンピュータが前記タブレットコンピュータモードで操作される場合、前記第２の低電圧差動信号を前記表示モジュールに出力して、対応する情報を表示し、前記タブレットコンピュータが前記外部装置モードで操作される場合、前記第１の低電圧差動信号を前記表示モジュールに出力して、対応する情報を表示する工程と、
を備えることを特徴とするタブレットコンピュータの制御方法。
【請求項２】
前記タブレットコンピュータがタブレットコンピュータモード又は外部装置モードで操作されることを選択する前記工程は、
前記プロセッサが出力する切替信号を受信して、前記タブレットコンピュータが前記外部装置モードで操作されるようにする工程を含む請求項１に記載のタブレットコンピュータの制御方法。
【請求項３】
前記タブレットコンピュータがタブレットコンピュータモード又は外部装置モードで操作されることを選択する前記工程は、
前記タブレットコンピュータが前記外部装置に接続されているか否かを検出する工程と、
前記タブレットコンピュータが前記外部装置に接続されると、前記タブレットコンピュータが前記外部装置モードで操作されるようにする工程と、
を含む請求項１に記載のタブレットコンピュータの制御方法。
【請求項４】
タッチ信号を受信する工程と、
前記タブレットコンピュータが前記タブレットコンピュータモードで操作される場合、前記タッチ信号を前記プロセッサに出力し、前記タブレットコンピュータが前記外部装置モードで操作される場合、前記タッチ信号を前記外部装置に出力する工程と、
を更に備える請求項１に記載のタブレットコンピュータの制御方法。
【請求項５】
外部装置に接続し、前記外部装置が出力する第１のビデオ信号を受信するための外部装置入力インターフェースと、
前記外部装置入力インターフェースに電気的に結合されており、前記第１のビデオ信号を第１の低電圧差動信号に変換するための第１の低電圧差動信号コンバータと、
第２のビデオ信号を出力するためのプロセッサと、
前記プロセッサに電気的に結合されており、前記第２のビデオ信号を第２の低電圧差動信号に変換するための第２の低電圧差動信号コンバータと、
前記第１の低電圧差動信号コンバータ及び前記第２の低電圧差動信号コンバータに電気的に結合されており、前記タブレットコンピュータがタブレットコンピュータモードで操作される場合、前記第２の低電圧差動信号を出力し、前記タブレットコンピュータが外部装置モードで操作される場合、前記第１の低電圧差動信号を出力する低電圧差動信号切替器と、
前記低電圧差動信号切替器に電気的に結合されており、前記低電圧差動信号切替器が出力する前記第１の低電圧差動信号又は前記第２の低電圧差動信号に基づいて、対応する情報を表示するための表示モジュールと、
を含むタブレットコンピュータ。
【請求項６】
前記タブレットコンピュータは、前記外部装置モードで操作される場合、前記外部装置のプロセッサによって操作を行う請求項５に記載のタブレットコンピュータ。
【請求項７】
前記表示モジュールは、タッチイベントを検知し、前記タッチイベントに基づいてタッチ信号を生じるためのタッチ表示モジュールであり、前記タブレットコンピュータは、前記タッチ表示モジュール、前記プロセッサ及び前記外部装置入力インターフェースに電気的に結合されており、前記タッチ信号を受信するためのタッチ信号切替器を更に含み、前記タッチ信号切替器は、前記タブレットコンピュータが前記タブレットコンピュータモードで操作される場合、前記タッチ信号を前記プロセッサに伝送し、前記タブレットコンピュータが前記外部装置モードで操作される場合、前記タッチ信号を前記外部装置に伝送する請求項５に記載のタブレットコンピュータ。
【請求項８】
前記タブレットコンピュータは、前記タブレットコンピュータモードで操作される場合、前記プロセッサによって操作を行う請求項５に記載のタブレットコンピュータ。
【請求項９】
前記プロセッサに電気的に結合されており、前記プロセッサを制御して切替信号を出力させることに用いられるディップスイッチを更に含み、
前記低電圧差動信号切替器は、前記切替信号を受信して、前記タブレットコンピュータを前記外部装置モードに切り替える請求項５に記載のタブレットコンピュータ。
【請求項１０】
前記外部装置入力インターフェースは、前記低電圧差動信号切替器に電気的に結合されており、且つ前記外部装置が前記外部装置入力インターフェースに接続されているか否かを検出するための検出ピンを更に含み、前記外部装置が前記外部装置入力インターフェースに接続されると、前記低電圧差動信号切替器は、前記タブレットコンピュータを前記外部装置モードに切り替える請求項５に記載のタブレットコンピュータ。
【発明の詳細な説明】
【技術分野】
【０００１】
本発明は、タブレットコンピュータ装置及び方法に関し、特に、タブレットコンピュータ及びその制御方法に関する。
【背景技術】
【０００２】
タブレットコンピュータは、軽便（手軽で便利である）というメリットを有するため、日常生活において日々普及してきた。しかしながら、ノートパソコンのハードウェア配置に比べて、タブレットコンピュータのハードウェア配置は相対的に不十分である。従って、ユーザが落ち着いた場所で仕事や娯楽をする時に、タブレットコンピュータをノートパソコンに接続し、ノートパソコンのオペレーティングシステムに切り替える機能が望まれている。
【０００３】
しかしながら、タブレットコンピュータで受信可能な表示信号は、低電圧差動信号しかないので、タブレットコンピュータと接続してその切替機能を正常に作動させるため、ノートパソコンは、専用のハードウェアを備えなければならない。このように、タブレットコンピュータは、特定のノートパソコンだけに適用可能で、また、切替機能が適用できる周辺装置に限定されるという欠点があるため、タブレットコンピュータの軽便というメリットを損なうことになる。
【発明の概要】
【発明が解決しようとする課題】
【０００４】
本発明の一目的は、従来の切替システムが、互いに整合されたノートパソコンとタブレットコンピュータの間でしか機能できないという問題を改善し、タブレットコンピュータを外部装置の表示装置として使用する、汎用性を向上させたタブレットコンピュータ及びその制御方法を提供することにある。
【課題を解決するための手段】
【０００５】
上記の目的を達成するために、本発明の一技術態様に関するタブレットコンピュータの制御方法は、プロセッサ及び表示モジュールを有するタブレットコンピュータの制御方法であって、外部装置が出力する第１のビデオ信号を受信する工程と、第１のビデオ信号を第１の低電圧差動信号に変換する工程と、プロセッサが出力する第２のビデオ信号を受信する工程と、第２のビデオ信号を第２の低電圧差動信号に変換する工程と、タブレットコンピュータがタブレットコンピュータモード又は外部装置モードで操作されることを選択する工程と、タブレットコンピュータがタブレットコンピュータモードで操作される場合、第２の低電圧差動信号を表示モジュールに出力して、対応する情報を表示し、タブレットコンピュータが外部装置モードで操作される場合、第１の低電圧差動信号を表示モジュールに出力して、対応する情報を表示する工程と、を備える。
【０００６】
本発明の一実施例によると、タブレットコンピュータがタブレットコンピュータモード又は外部装置モードで操作されることを選択する工程は、プロセッサが出力する切替信号を受信して、タブレットコンピュータが外部装置モードで操作されるようにする工程を含む。
【０００７】
本発明のまた他の実施例によると、タブレットコンピュータがタブレットコンピュータモード又は外部装置モードで操作されることを選択する工程は、タブレットコンピュータが外部装置に接続されているか否かを検出する工程と、タブレットコンピュータが外部装置に接続されると、タブレットコンピュータが外部装置モードで操作されるようにする工程と、を更に備える。
【０００８】
本発明の更に１つの実施例によると、タブレットコンピュータの制御方法は、タッチ信号を受信する工程と、タブレットコンピュータがタブレットコンピュータモードで操作される場合、タッチ信号をプロセッサに出力し、タブレットコンピュータが外部装置モードで操作される場合、タッチ信号を外部装置に出力する工程と、を更に含む。
【０００９】
上記の目的を達成するために、本発明の別の技術態様に関するタブレットコンピュータは、外部装置入力インターフェースと、第１の低電圧差動信号コンバータと、プロセッサと、第２の低電圧差動信号コンバータと、低電圧差動信号切替器と、表示モジュールと、を含む。外部装置入力インターフェースは、外部装置に接続し、外部装置が出力する第１のビデオ信号を受信する。第１の低電圧差動信号コンバータは、外部装置入力インターフェースに電気的に結合されており、第１のビデオ信号を第１の低電圧差動信号に変換する。プロセッサは、第２のビデオ信号を出力する。第２の低電圧差動信号コンバータは、プロセッサに電気的に結合されており、第２のビデオ信号を第２の低電圧差動信号に変換する。低電圧差動信号切替器は、第１の低電圧差動信号コンバータ及び第２の低電圧差動信号コンバータに電気的に結合されており、タブレットコンピュータがタブレットコンピュータモードで操作される場合、第２の低電圧差動信号を出力し、タブレットコンピュータが外部装置モードで操作される場合、第１の低電圧差動信号を出力する。表示モジュールは、低電圧差動信号切替器に電気的に結合されており、低電圧差動信号切替器が出力する第１の低電圧差動信号又は第２の低電圧差動信号に基づいて、対応する情報を表示する。
【００１０】
本発明の一実施例によると、タブレットコンピュータは、外部装置モードで操作される場合、外部装置のプロセッサによって操作を行う。
【００１１】
本発明のまた他の実施例によると、表示モジュールは、タッチイベントを検知し、タッチイベントに基づいてタッチ信号を生じるためのタッチ表示モジュールである。タブレットコンピュータは、タッチ表示モジュール、プロセッサ及び外部装置入力インターフェースに電気的に結合されており、前記タッチ信号を受信するためのタッチ信号切替器を更に含む。タッチ信号切替器は、タブレットコンピュータが前記タブレットコンピュータモードで操作される場合、タッチ信号をプロセッサに伝送し、タブレットコンピュータが外部装置モードで操作される場合、タッチ信号を前記外部装置に伝送する。
【００１２】
本発明の別の実施例によると、タブレットコンピュータは、タブレットコンピュータモードで操作される場合、プロセッサによって操作を行う。
【００１３】
本発明の更に１つの実施例によると、タブレットコンピュータは、プロセッサに電気的に結合されており、プロセッサを制御して切替信号を出力させることに用いられ、低電圧差動信号切替器が前記切替信号を受信して、低電圧差動信号切替器がタブレットコンピュータを外部装置モードに切り替えるためのディップスイッチを更に含む。
【００１４】
本発明のまた他の実施例によると、外部装置入力インターフェースは、低電圧差動信号切替器に電気的に結合されており、且つ外部装置が外部装置入力インターフェースに接続されているか否かを検出するための検出ピンを更に含み、外部装置が外部装置入力インターフェースに接続されると、低電圧差動信号切替器は、タブレットコンピュータを外部装置モードに切り替える。
【発明の効果】
【００１５】
従って、本発明の技術内容によると、本発明は、タブレットコンピュータの内部に、外部装置の第１のビデオ信号を第１の低電圧差動信号に変換するための第１低電圧差動信号コンバータを増設することで、タブレットコンピュータを如何なる外部装置の表示装置とすることもでき、これにより、従来の切替システムが互いに整合されたノートパソコンとタブレットコンピュータとの間にしか機能できない問題を改善する。
【図面の簡単な説明】
【００１６】
本発明の上記の目的、特徴、メリットをより分かりやすくするために、以下、図面に合わせて、本発明の具体的な発明を実施するための形態を詳しく説明する。
【００１７】
【図１】本発明の一実施例によるタブレットコンピュータの模式図である。
【図２】本発明の図１による第１低電圧差動信号コンバータの回路ブロック模式図である。
【図３Ａ】本発明の図１による低電圧差動信号切替器の模式図である。
【図３Ｂ】本発明の図１による低電圧差動信号切替器の設定表である。
【図４】本発明の図１による検出ピンの設定表である。
【図５】本発明の図１による検出ピン、プロセッサ及び低電圧差動信号切替器の関係模式図である。
【図６】本発明の一実施例によるタブレットコンピュータの制御方法を示すフロー模式図である。
【発明を実施するための形態】
【００１８】
本開示内容の記述を更に詳細に完備するように、図面及び下記の様々な実施例を参照することができ、図面における同一の符号は、同一又は類似の部品を表示する。しかしながら、提供された実施例は、本発明に含まれる範囲を限定するものではなく、構造動作の記述は、実行する順序を限定するためのものではなく、前記部品を改めて組み合わせることでできる、同じ効果を有する装置の何れも、すべて本発明に含まれる範囲にある。
【００１９】
そのうち、図面は、説明の目的だけのものであり、実際の寸法に基づいて描かれたものではない。一方、本発明に不要な制限をもたらすことを避けるため、周知の部品や工程は、実施例に記述されていない。
【００２０】
また、本文において使用される「結合」（coupled）又は「接続」（connected）とは、何れも２つ又は複数のユニットが互いに直接に物理的又は電気的に接触すること、又は互いに間接に物理的又は電気的に接触することを指してもよいし、２つ又は複数のユニットが互いに操作し又は動作することを指してもよい。
【００２１】
図１は、本発明の一実施例によるタブレットコンピュータ１００の模式図である。図面に示すように、タブレットコンピュータ１００は、外部装置入力インターフェース１１０と、プロセッサ１２０と、第１の低電圧差動信号（Ｌｏｗ−Ｖｏｌｔａｇｅ  Ｄｉｆｆｅｒｅｎｔｉａｌ  Ｓｉｇｎａｌｉｎｇ；ＬＶＤＳ）コンバータ１３０と、表示モジュール１４０と、低電圧差動信号切替器１５０と、第２の低電圧差動信号コンバータ１７０と、を含む。
【００２２】
構造上、第１の低電圧差動信号コンバータ１３０は、外部装置入力インターフェース１１０に電気的に結合され、第２の低電圧差動信号コンバータ１７０は、プロセッサ１２０に電気的に結合され、低電圧差動信号切替器１５０は、第１の低電圧差動信号コンバータ１３０と第２の低電圧差動信号コンバータ１７０に電気的に結合され、表示モジュール１４０は、低電圧差動信号切替器１５０に電気的に結合される。
【００２３】
操作上、外部装置入力インターフェース１１０は、外部装置９００に接続し、外部装置９００が出力する第１のビデオ信号を受信する。第１の低電圧差動信号コンバータ１３０は、第１のビデオ信号を第１の低電圧差動信号に変換する。例えば、第１のビデオ信号が高精細度マルチメディアインターフェース（Ｈｉｇｈ  Ｄｅｆｉｎｉｔｉｏｎ  Ｍｕｌｔｉｍｅｄｉａ  Ｉｎｔｅｒｆａｃｅ；ＨＤＭＩ（登録商標））信号である場合、第１の低電圧差動信号コンバータ１３０は、このＨＤＭＩ（登録商標）信号に含まれるビデオ信号を第１の低電圧差動信号に変換することができ、同時にＨＤＭＩ（登録商標）信号に含まれる音声信号を対応する音声再生装置に伝送することができる。これによって、タブレットコンピュータ１００は、そのスピーカーによって音声信号に基づいて放送することもできる。
【００２４】
本実施例において、プロセッサ１２０は、第２のビデオ信号を出力する。第２の低電圧差動信号コンバータ１７０は、第２のビデオ信号を第２の低電圧差動信号に変換する。
【００２５】
本発明を実現する場合、低電圧差動信号切替器１５０は、一組の２：１の低電圧差動信号専用の切替チップであってよいが、それに限定されない。この切替チップは、一端が第１の低電圧差動信号コンバータ１３０と第２の低電圧差動信号コンバータ１７０に接続され、他の一端が表示モジュール１４０に接続される。低電圧差動信号切替器１５０は、タブレットコンピュータ１００がタブレットコンピュータモードで操作される場合、第２の低電圧差動信号を出力し、タブレットコンピュータ１００が外部装置モードで操作される場合、第１の低電圧差動信号を出力する。
【００２６】
また、表示モジュール１４０は、低電圧差動信号切替器１５０が出力する第１の低電圧差動信号又は第２の低電圧差動信号に基づいて、対応する情報を表示する。
【００２７】
これによって、如何なる外部装置９００が外部装置入力インターフェース１１０に接続されると、タブレットコンピュータ１００は、タブレットモード又は外部装置モードに切り替えることができ、これにより、従来の切替システムが互いに整合されたノートパソコンとタブレットコンピュータとの間にしか切り替えられない問題を改善する。
【００２８】
また、本実施例において、タブレットコンピュータ１００は、外部装置モードで操作される場合、外部装置９００のプロセッサによって操作を行うことができ、外部装置９００に入力されたビデオ信号がタブレットコンピュータ１００の表示モジュール１４０に表示されることができ、これにより、タブレットコンピュータ１００のプロセッサと外部装置９００のプロセッサとの配置差異によるハードウェアの開発の難易度が高いという問題を改善する。
【００２９】
具体的には、本実施例において、タブレットコンピュータ１００は、Ａｎｄｒｏｉｄ（登録商標）システム、Ｗｉｎｄｏｗｓ  Ｍｏｂｉｌｅ（登録商標）システム、アップルのｉＯＳ（登録商標）等のオペレーティングシステムを採用してよいが、通常のコンピュータのオペレーティングシステムに比べ、上記のオペレーティングシステムは演算能力が低く、且つユーザに提供する操作オプションが少ない。上記の問題を解決するために、本発明のタブレットコンピュータ１００が外部装置モードで操作される場合、外部装置９００のオペレーティングシステムによって操作を行い、外部装置９００の高い処理能力で、タブレットコンピュータ１００の操作を処理できる。上記の外部装置９００は、デスクトップパソコン、ノートパソコン等の装置であってよいが、それらに限定されず、そのオペレーティングシステムは、Ｗｉｎｄｏｗｓ（登録商標）系システム又はアップル系システムであってよい。あるいは、外部装置９００は、カメラ、プロジェクター等であってもよく、タブレットコンピュータ１００の比較的に大きい表示モジュール１４０によって、ユーザにとって写真やビデオを見やすくなる。
【００３０】
本発明の一実施例において、表示モジュール１４０は、タッチ表示モジュールであってよい。換言すれば、表示モジュール１４０は、タッチ機能を有する。表示モジュール１４０は、プロセッサ１２０に電気的に結合されており、タッチイベントを検知し、タッチイベントに基づいてタッチ信号を生じる。また、タブレットコンピュータ１００は、タッチ信号切替器１９０を更に含む。タッチ信号切替器１９０は、表示モジュール１４０、プロセッサ１２０及び外部装置入力インターフェース１１０に電気的に結合されており、タッチ信号を受信する。タッチ信号切替器１９０は、タブレットコンピュータ１００がタブレットコンピュータモードで操作される場合、タッチ信号をプロセッサ１２０に伝送し、タブレットコンピュータ１００が外部装置モードで操作される場合、タッチ信号を外部装置９００に伝送する。これによって、タブレットコンピュータ１００が外部装置モードで操作される場合、タブレットコンピュータ１００の表示モジュール１４０のタッチ機能も同時に使用することができ、これにより、従来の外部装置に備える他の入力設備（例えば、マウス、キーボード）を使用しなければならないという問題を改善する。
【００３１】
本実施例において、タブレットコンピュータ１００は、タブレットコンピュータモードで操作される場合、その内部のプロセッサ１２０によって、その対応するオペレーティングシステムを採用して操作を行う。上記のオペレーティングシステムは、Ａｎｄｒｏｉｄ（登録商標）システム、Ｗｉｎｄｏｗｓ  Ｍｏｂｉｌｅ（登録商標）システム、アップルのｉＯＳ（登録商標）等のオペレーティングシステムであってよいが、それらに限定されない。
【００３２】
本実施例において、タブレットコンピュータ１００は、ディップスイッチ１８０を更に含んでよい。ディップスイッチ１８０は、プロセッサ１２０に電気的に結合されており、プロセッサ１２０を制御して切替信号を出力させる。低電圧差動信号切替器１５０は、切替信号を受信して、タブレットコンピュータ１００を外部装置モードに切り替える。切替信号を受信していない場合、即ちデフォルト状態で、タブレットコンピュータ１００は、タブレットコンピュータモードに保持される。
【００３３】
また、本発明の別の実施例において、タブレットコンピュータ１００の操作モードの切り替えは、プロセッサ１２０から発信された切替信号に依存せずに、外部装置入力インターフェース１１０が外部装置９００に接続されると、直接にタブレットコンピュータ１００をタブレットコンピュータモードに切り替えてもよい。具体的には、外部装置入力インターフェース１１０は、外部装置９００が外部装置入力インターフェース１１０に接続されているか否かを検出するための検出ピン１１２を更に含んでよい。外部装置入力インターフェース１１０は、低電圧差動信号切替器１５０に電気的に結合される。外部装置９００が外部装置入力インターフェース１１０に接続されると、低電圧差動信号切替器１５０は、検出ピン１１２上の電圧レベルの変化を検知して、タブレットコンピュータ１００を外部装置モードに切り替える。
【００３４】
図２は、本発明の図１の第１の低電圧差動信号コンバータ１３０の回路ブロック模式図である。図面に示すように、第１の低電圧差動信号コンバータ１３０は、多種類のビデオ信号（例えば、ＨＤＭＩ（登録商標）、ＤＶＩ、ＲＧＢ、Ｓ端子）を、タブレットコンピュータ１００が表示できる低電圧差動信号に変換して、これにより、多種類のホストの間のオペレーティングシステムの切替を実現でき、更に、タブレットコンピュータ１００を、デスクトップパソコン、ノートパソコン、デジタルカメラ、ＤＶビデオカメラ、プロジェクター等の多種類の電子製品の表示設備として使用することができる。
【００３５】
図３Ａは、本発明の図１による低電圧差動信号切替器１５０の模式図である。図面に示すように、本発明の実施例の低電圧差動信号切替器１５０は、この回路構成によって実現できる。図３Ｂは、本発明の図１による低電圧差動信号切替器１５０の設定表である。図面に示すように、切替信号がロジックローレベル（Ｌ）である場合、入力端と出力端との関係は
2014120154.tif 000003
であり、例を挙げていえば、信号がＡ０から入力されれば０Ｂ１から出力され、且つ信号がＡ１から入力されれば１Ｂ１から出力され、ここから類推して、この場合には、タブレットコンピュータ１００は、タブレットコンピュータモードで操作される。なお、切替信号がロジックハイレベル（Ｈ）である場合、入力端と出力端の関係は
2014120154.tif 000004
であり、例を挙げて言えば、信号がＡ０から入力されれば０Ｂ２から出力され、且つ信号がＡ１から入力されれば１Ｂ２から出力され、ここから類推して、この場合には、タブレットコンピュータ１００が外部装置モードで操作される。しかしながら、それは本発明を限定するためのものではなく、当業者であれば、適当な構成を選択的に採用して低電圧差動信号切替器１５０を実現し、当該構成に合わせて適切な設定表を設定することができる。
【００３６】
図４は、本発明の図１による検出ピン１１２の設定表である。図面に示すように、タブレットコンピュータ１００が起動される場合、検出ピン１１２の信号ホットプラグ検出（Ｈｏｔ  ｐｌｕｇ  ｄｅｔｅｃｔ；ＨＰＤ）の初期値はＬＯＷであり、外部装置入力インターフェース１１０に接続される外部装置９００がないことを示す。この場合、タブレットコンピュータ１００は、デフォルトにその内部のオペレーティングシステムを使用する。外部装置９００が外部装置入力インターフェース１１０に接続されると、例えば外部装置９００のような高精細度マルチメディアインターフェース（ＨＤＭＩ（登録商標））又はデジタルビジュアルインターフェース（Ｄｉｇｉｔａｌ  Ｖｉｓｕａｌ  Ｉｎｔｅｒｆａｃｅ；ＤＶＩ）が外部装置入力インターフェース１１０に差し込まれると、その検出ピン１１２の信号ＨＰＤは、Ｈｉｇｈとなって、オペレーティングシステムの切替を行う。例えば、図面に示すように、タブレットコンピュータ１００は、タブレットコンピュータモードで操作される場合、その外部キーボードは使用できなくなるが、その自体のタッチ機能は依然として使用できる。なお、タブレットコンピュータ１００は、外部装置モードで操作される場合、その外部キーボード及び自体のタッチ機能は、依然として使用できる。
【００３７】
図５は、本発明の図１による検出ピン１１２、プロセッサ１２０及び低電圧差動信号切替器１５０の関係模式図である。図３Ｂに示した低電圧差動信号切替器１５０の設定表と図４に示した検出ピン１１２の設定表は、ロジックの設定が同じである。本発明の実施例のタブレットコンピュータ１００は、前記プロセッサ１２０を制御して切替信号ＭＯＤＥ＃を出力させることができるディップスイッチ１８０を含んでよいので、低電圧差動信号切替器１５０は、切替信号を受信して、タブレットコンピュータ１００を外部装置モードに切り替える。なお、外部装置９００が外部装置入力インターフェース１１０に接続されると、検出ピン１１２の信号ＨＰＤは、その電圧レベルがＨｉｇｈとなって、低電圧差動信号切替器１５０は、電圧レベルがＨｉｇｈとなったＨＰＤ信号を受信して、タブレットコンピュータ１００を外部装置モードに切り替える。ここで、プロセッサ１２０と検出ピン１１２が論理和回路（ＯＲ  ｃｉｒｃｕｉｔ）に電気的に結合されることで、プロセッサ１２０が切替信号ＭＯＤＥ＃を出力するか、又はＨＰＤの電圧レベルがＨｉｇｈとなるかを問わず、信号ＳＥＬ＃が何れもハイレベル信号（Ｈｉｇｈ）となり、低電圧差動信号切替器１５０を、タブレットコンピュータ１００を外部装置モードに切り替えさせる。
【００３８】
説明すべきなのは、本実施例については、タブレットコンピュータ１００が検出ピン１１２とディップスイッチ１８０を同時に含む場合を例をとして説明するが、他の実施例において、タブレットコンピュータ１００は、検出ピン１１２とディップスイッチ１８０の何れかのみを含んでもよい。
【００３９】
図６は、本発明の一実施例によるタブレットコンピュータの制御方法を示すフロー模式図である。図面に示すように、タブレットコンピュータの制御方法６００は、
外部装置が出力する第１のビデオ信号を受信する工程６１０と、
第１のビデオ信号を第１の低電圧差動信号に変換する工程６２０と、
プロセッサが出力する第２のビデオ信号を受信する工程６３０と、
第２のビデオ信号を第２の低電圧差動信号に変換する工程６４０と、
タブレットコンピュータがタブレットコンピュータモード又は外部装置モードで操作されることを選択する工程６５０と、
タブレットコンピュータがタブレットコンピュータモードで操作される場合、第２の低電圧差動信号を表示モジュールに出力して、対応する情報を表示する工程６６０と、
タブレットコンピュータが外部装置モードで操作される場合、第１の低電圧差動信号を表示モジュールに出力して、対応する情報を表示する工程６７０と、を備える。
【００４０】
本発明のタブレットコンピュータの制御方法６００を分かりやすくするために、ここで、図１及び図６を合わせて本発明を例示的に説明する。工程６１０において、外部装置入力インターフェース１１０によって、外部装置９００が出力する第１のビデオ信号を受信することができる。
【００４１】
工程６２０を参照する。第１の低電圧差動信号コンバータ１３０によって第１のビデオ信号を第１の低電圧差動信号に変換することができる。工程６３０及び工程６４０において、第２の低電圧差動信号コンバータ１７０によってプロセッサ１２０が出力する第２のビデオ信号を受信して、第２のビデオ信号を第２の低電圧差動信号に変換することができる。
【００４２】
続いて、工程６５０において、第１の状況において、ディップスイッチ１８０によってプロセッサ１２０を制御して切替信号を出力させ、低電圧差動信号切替器１５０が切替信号を受信して、低電圧差動信号切替器１５０は、タブレットコンピュータ１００を外部装置モードに切り替えることができる。又は、第２の状況において、検出ピン１１２によって外部装置９００が外部装置入力インターフェース１１０に接続されているか否かを検出して、外部装置９００が外部装置入力インターフェース１１０に接続されると、低電圧差動信号切替器１５０は、タブレットコンピュータ１００を外部装置モードに切り替えることができる。上記の第１の状況又は第２の状況の何れでもない場合、タブレットコンピュータ１００は、タブレットコンピュータモードで操作され、上記のメカニズムによって、前記タブレットコンピュータ１００がタブレットコンピュータモード又は外部装置モードで操作されることを選択することができる。
【００４３】
また、タブレットコンピュータ１００がタブレットコンピュータモードで操作される場合、低電圧差動信号切替器１５０によって第２の低電圧差動信号を表示モジュール１４０に出力して、対応する情報を表示することができる。タブレットコンピュータ１００が外部装置モードで操作される場合、低電圧差動信号切替器１５０が第１の低電圧差動信号を表示モジュール１４０に出力して、対応する情報を表示する。
【００４４】
これによって、如何なる外部装置９００が外部装置入力インターフェース１１０に接続されると、タブレットコンピュータの制御方法６００によって、タブレットコンピュータ１００が選択的にタブレットコンピュータモード又は外部装置モードで操作されるように制御することができ、これにより、従来の切替システムが、互いに整合された外部装置とタブレットコンピュータとの間にしか切り替えられない問題を改善する。
【００４５】
本発明の一実施例において、タブレットコンピュータの制御方法６００は、
タッチ信号を受信する工程と、
タブレットコンピュータがタブレットコンピュータモードで操作される場合、タッチ信号をプロセッサに出力する工程と、
タブレットコンピュータが外部装置モードで操作される場合、タッチ信号を外部装置に出力する工程と、を更に備えてよい。
【００４６】
上記の工程において、表示モジュール１４０によってタッチイベントに基づいてタッチ信号を生じることができ、タブレットコンピュータ１００がタブレットコンピュータモードで操作される場合、タッチ信号切替器１９０は、タッチ信号をプロセッサ１２０に出力するが、タブレットコンピュータ１００が外部装置モードで操作される場合、タッチ信号切替器１９０は、タッチ信号を外部装置９００に出力する。これによって、タブレットコンピュータ１００が外部装置モードで操作される場合、タブレットコンピュータ１００の表示モジュール１４０のタッチ機能も同時に使用することができ、これにより、従来の外部装置に備える他の入力設備（例えば、マウス、キーボード）を使用しなければならない問題を改善する。
【００４７】
上記のようなタブレットコンピュータの制御方法６００の何れも、ソフトウェア、ハードウェア及び／又はファームウェアにより実行されることができる。例を挙げていえば、実行速度及び精確性を優先にすると、基本的にハードウェア及び／又はファームウェアを主とするものを選用してよいが、設計の柔軟性を優先にすると、基本的にソフトウェアを主とするものを選択してよいが、或いは、ソフトウェア、ハードウェア及びファームウェアを同時に採用して協同で作業してよい。理解すべきなのは、上記で挙げられたこれらの例は、どちらが優れているかを問わず、また、本発明を限定するためのものではなく、当業者であれば、その時の必要に応じて柔軟に設計すべきである。
【００４８】
なお、当業者であれば、タブレットコンピュータの制御方法６００における各工程にその実行する機能に基づいて命名することは、本発明の技術をより分かりやすくするためであり、これらの工程を限定するためではないことは理解できる。各工程を同一の工程に整合し又は複数の工程に分け、或いは何れの工程を別の工程に交換して実行することも、依然として本開示の内容の実施形態に属する。
【００４９】
上記の本発明の実施形態から、本発明を応用すれば、以下のメリットを有することが明らかである。本発明の実施例は、タブレットコンピュータ及びその制御方法を提供することで、如何なる外部装置が外部装置入力インターフェースに接続されても、タブレットコンピュータがタブレットコンピュータモード又は外部装置モードで操作されることを選択することができ、これにより、従来の切替システムが、互いに整合された外部装置とタブレットコンピュータとの間にしか切り替えられない問題を改善する。また、本発明の実施例は、タブレットコンピュータが外部装置モードで操作される場合、外部装置のプロセッサにより操作を行うことができ、これにより、タブレットコンピュータのプロセッサと外部装置のプロセッサとの配置上の差異によるハードウェアの開発の難易度が高いという問題を改善する。
【００５０】
なお、タブレットコンピュータが外部装置モードで操作される場合、タブレットコンピュータのタッチ機能も同時に使用することができ、これにより、従来の外部装置に備えられた他の入力設備（例えば、マウス、キーボード）を使用しなければならない問題を改善する。
【００５１】
本発明では、好適な実施例をもって上記の通りに開示したが、これは本発明を限定するものではなく、当業者なら誰でも、本発明の精神と領域から逸脱しない限り、わずかな変更や修正を加えることができため、本発明の保護範囲は、後の特許請求の範囲で指定した内容を基準とする。
【符号の説明】
【００５２】
１００  タブレットコンピュータ
１１０  外部装置入力インターフェース
１１２  検出ピン
１２０  プロセッサ
１３０  第１の低電圧差動信号コンバータ
１４０  表示モジュール
１５０  低電圧差動信号切替器
１７０  第２の低電圧差動信号コンバータ
１８０  ディップスイッチ
１９０  タッチ信号切替器
６００  タブレットコンピュータの制御方法
６１０〜６７０  工程
９００  外部装置
【図１】
2014120154.tif 000005
【図２】
2014120154.tif 000006
【図３Ａ】
2014120154.tif 000007
【図３Ｂ】
2014120154.tif 000008
【図４】
2014120154.tif 000009
【図５】
2014120154.tif 000010
【図６】
2014120154.tif 000011